(57)【要約】【課題】温水パイプの接続手段として、ワンプッシュ型接続継手を採用したもので、接続が極めて簡単かつ確実となり、作業性も困難性をほとんど伴わない優れた効果がある。【解決手段】パネルヒ−タ−取付口２１、温水入口２２及び出口２３、水抜き口２４、サ−モバルブ２５とからなり、前記温水入口２２及び出口２３に止水リング６及びロックリング７を内蔵するサ−モバルブ一体型ワンプッシュ継手であって、温水入口２２及び出口２３に先端より大径の段部５と小径の段部４を形成し、大径の段部５内に温水パイプ２６の表面に接触する止水リング６と、その表面に食い込む爪７ａを備えたロックリング７が内蔵され、当該ロックリング７の先端外表面が傾斜面８をなし、かつ先端側より複数の縦スリット９を備え、このロックリング７の傾斜面８と接するように内表面を傾斜面１１とした抜け防止用のキャップ１０が装着された継手。【選択図】図２
2008045720.tif 000002
【特許請求の範囲】
【請求項１】
パネルヒ−タ−取付口２１、温水入口２２及び出口２３、水抜き口２４、サ−モバルブ２５とからなるサ−モバルブ一体型ワンプッシュ継手にあって、差し込まれる温水パイプ２６と接続する前記温水入口２２及び出口２３に止水リング及びロックリングを内蔵する継手構造としたことを特徴とするサ−モバルブ一体型ワンプッシュ継手。
【請求項２】
温水入口２２及び出口２３に段差部５を形成し、この段差部５内に差し込まれる温水パイプ２６の外表面に接触する止水リング６及びロックリング７を内蔵させ、これらの抜けを防止するキャップ１０を装着したことを特徴とする請求項１記載のサ−モバルブ一体型ワンプッシュ継手。
【請求項３】
温水入口２２及び出口２３に内筒３３を形成し、この内筒３３に差し込まれる温水パイプ２６の内表面に接触する止水リング３４と外表面に接触するロックリング３６を内蔵させ、これらの抜けを防止するキャップ３７を装着したことを特徴とする請求項１記載のサ−モバルブ一体型ワンプッシュ継手。
【請求項４】
ロックリング７が温水パイプ２６の表面に食い込む爪７ａを備えた請求項１乃至３いずれか１記載のサ−モバルブ一体型ワンプッシュ継手。
【請求項５】
ロックリング７の先端外表面が傾斜面８をなし、キャップ１０内表面にこの傾斜面８と接する傾斜面１１を形成した請求項１乃至４いずれか１記載のサ−モバルブ一体型ワンプッシュ継手。
【請求項６】
ロックリング７の先端より傾斜面８部に縦スリット９を形成した請求項１乃至５いずれか１記載のサ−モバルブ一体型ワンプッシュ継手。
【請求項７】
パネルヒ−タ−取付口２１、温水入口２２及び出口２３、水抜き口２４、サ−モバルブ２５とからなり、差し込まれる温水パイプ２６と接続する前記温水入口２２及び出口２３に止水リング６及びロックリング７を内蔵するサ−モバルブ一体型ワンプッシュ継手であって、前記温水入口２２及び出口２３に先端より大径の段部５と小径の段部４を形成し、小径の段部４が温水パイプ２６の差し込み位置を特定し、大径の段部５内に温水パイプ２６の表面に接触する止水リング６と、その表面に食い込む爪７ａを備えたロックリング７が内蔵され、当該ロックリング７の先端外表面が傾斜面８をなし、かつ先端側より複数の縦スリット９を備え、このロックリング７の傾斜面８と接するように内表面を傾斜面１１とした抜け防止用のキャップ１０が装着されたことを特徴とするサ−モバルブ一体型ワンプッシュ継手。
【請求項８】
パネルヒ−タ−取付口２１、温水入口２２及び出口２３、水抜き口２４、サ−モバルブ２５とからなり、差し込まれる温水パイプ２６と接続する前記温水入口２２及び出口２３に止水リング６及びロックリング７を内蔵するサ−モバルブ一体型ワンプッシュ継手であって、前記温水入口２２及び出口２３に差し込まれる温水パイプ２６の内側に差し込まれる内筒３３を備え、内筒３３の外表面に周溝３３ａを形成して止水リング３４が嵌め込まれ、この内筒３３を覆って外筒３５が備えられ、外筒３５の先端に温水パイプ２６の外表面に食い込む爪３６ａを備えたロックリング３６を配置し、当該ロックリング３６の先端外表面が傾斜面３８をなし、このロックリング３６の傾斜面３８と接するように内表面を傾斜面３９とした抜け防止用のキャップ３７を外筒３５に装着したことを特徴とするサ−モバルブ一体型ワンプッシュ継手。
【発明の詳細な説明】
【技術分野】
【０００１】
本発明は、パネルヒ−タ−用継手に関するものであり、更にいえば温水パイプを無理なく容易に接続できるサ−モバルブ一体型継手にかかるものである。
【０００２】
近年、北海道等の寒冷地では暖房用器具としてパネルヒ−タ−が広く用いられるようになってきた。これは金属製パイプをすだれ状に連続して配置し、内部に温水を通過させて熱源とするものであり、室内の壁面に備えられる構造である。そして、温水は床下に敷設された温水パイプより供給される。
【０００３】
かかるパネルヒ−タ−の設置にあっては、通常は床下の温水パイプの敷設と室内の壁面に備えられるパネルヒ−タ−の装着とは当初別体に行われ、最後にパネルヒ−タ−の金属パイプと床下の温水パイプとをパネルヒ−タ−用サ−モバルブ付継手（以下、問題のない限り継手Ｐという）を介して接続されて工事が完成するものである。
【０００４】
この継手Ｐは特に規定はないが、メ−カ−側の指定により床上１２ｃｍの位置に装着されるのが通常であって、このスペ−スの狭いなかで温水パイプを接続しなくてはならなかった。勿論、この接続部位からの漏水は許されるものではなく、温水パイプの先端がパネルヒ−タ−継手の所定位置に確実にセットされ、これが確実に（漏水のないように）固定されなくてはならない。しかるに、従来では温水パイプのセットと継手Ｐへの固定を同時に加締め作業により行っていた。
【０００５】
しかしながら、温水パイプの接続と継手Ｐの接続を加締め作業にて同時に行っているため、場合によっては夫々の接続の確実性が損なわれる危険性があり、漏水する可能性があった。例えば、加締め作業によって両者が接続・固定されたものの、温水パイプが継手Ｐに対して正しく差し込まれず、やや斜めに差し込まれてしまっている場合でも、又、差し込み量が不足している場合でも、加締めによってそのまま固定されてしまうことなる。これは、加締め作業終了後では温水パイプの差し込みの状態が確認できず、そのままの使用によって漏水が発生する危険性がある。更にいえば、両者を同時に加締め接続させることから、かえって接続作業に慎重さが求められ、作業性の悪化を招いていた。
【発明の開示】
【発明が解決しようとする課題】
【０００６】
本発明は、上記のような従来の接続・固定の技術に鑑みてなされたもので、継手Ｐと温水パイプとの接続を確実かつ簡単に行うことができる継手を提供するものである。
【課題を解決するための手段】
【０００７】
本発明（第１：請求項１）の要旨は、パネルヒ−タ−取付口２１、温水入口２２及び出口２３、水抜き口２４、サ−モバルブ２５とからなる継手Ｐであって、差し込まれる温水パイプ２６と接続する前記温水入口２２及び出口２３に止水リング及びロックリングを内蔵する構造としたことを特徴とするものである。
【０００８】
そして、具体的構成（本発明の第２：請求項７）としては、パネルヒ−タ−取付口、温水入口及び出口、水抜き口、サ−モバルブとからなり、差し込まれる温水パイプ２６と接続する前記温水入口２２及び出口２３に止水リング及びロックリングを内蔵する継手Ｐであって、前記温水入口及び出口に先端より大径の段部と小径の段部を形成し、小径の段部が温水パイプに差し込み位置を特定し、大径の段部内に温水パイプの表面に接触する止水リングと、その表面に食い込む爪を備えたロックリングが内蔵され、当該ロックリングの先端外表面が傾斜面をなし、かつ先端側より複数の縦スリットを備え、このロックリングの傾斜面と接するように内表面を傾斜面とした抜け防止用のソケットが装着されたものである。
【０００９】
更に、具体的構成（本発明の第３：請求項８）の別例としては、パネルヒ−タ−取付口、温水入口及び出口、水抜き口、サ−モバルブとからなり、差し込まれる温水パイプ２６と接続する前記温水入口２２及び出口２３に止水リング及びロックリングを内蔵する継手Ｐであって、前記温水入口及び出口に差し込まれる温水パイプ内に差し込まれる内筒を備え、内筒の外表面に周溝を形成して止水リングが嵌め込まれ、この内筒を覆って外筒が備えられ、外筒の先端に温水パイプの外表面に食い込む爪を備えたロックリングを配置し、当該ロックリングの先端外表面が傾斜面をなし、このロックリングの傾斜面と接するように内表面を傾斜面とした抜け防止用のキャップを外筒に装着したものである。
【発明の効果】
【００１０】
本発明は上記の通りであり、継手Ｐと温水パイプの接続・固定を容易かつ簡単に行うことが可能となったもので、温水パイプの接続施工性と漏水に対する信頼性が格段に向上した（請求項１）ものである。具体的には、温水パイプの接続手段として、ワンプッシュ型接続継手を採用したことによって、その接続が極めて簡単かつ確実となり、作業性も困難性をほとんど伴わないという優れた効果がある。
【発明を実施するための最良の形態】
【００１１】
本発明は、継手Ｐ自体に温水パイプのワンプッシュ継手構造を付帯させることにより、継手へのパイプの接続に工具等を使用する必要が全く不必要になり、施工性を向上するものである。又、継手全体としての長さを短くすることが可能となり、収まりや施工性が優れたものとなる。
【００１２】
請求項１に記載したように、本発明が提供する継手は主としてパネルヒ−タ−の継手に用いられるものであり、パネルヒ−タ−取付口２１、温水入口２２及び出口２３、水抜き口２４、サ−モバルブ２５とからなるサ−モバルブ一体型継手であって、差し込まれる温水パイプ２６と接続する前記温水入口２２及び出口２３に止水リング及びロックリングを内蔵する継手構造としたことを特徴とするもので、特に言えば、その施工性を大きく向上させることができたものである。即ち、継手へのパイプの接続に工具等を使用する必要が全く不必要になり、狭いスぺ−スでの作業が容易となり、その収まりも格段に優れたものとなったものである。
【００１３】
ここで本発明にて採用した継手構造について述べれば、温水入口及び出口に内蔵された止水リングとロックリングと、これらの抜けを防止するキャップよりなる構成であって、第１具体例としては、温水入口及び出口内に先端より大径の段部と小径の段部を形成し、大径の段部内に温水パイプの表面に接触する止水リングと、その表面に食い込む爪を備えたロックリングが内蔵され、これらの抜けを防止するキャップが装着された構造である。尚、小径の段部が温水パイプに差し込み位置としたもので、これによって温水パイプの完全な差し込みが確認でき、差し込み不良による漏水の発生は極めて低減したものである（請求項２、７）。
【００１４】
ロックリングについて述べれば、その先端外表面が傾斜面をなし、これと接するようにキャップ内表面を傾斜面としたもので、更に、その先端より傾斜面部に縦スリットを形成したものである。これによって、温水パイプの内部に温水が流された場合、パイプが抜け出す方向に動くが、この動きによってロックリングの爪が温水パイプの表面に食い込み、更に、キャップとロックリングとの両傾斜面が接触し合って、ロックリングを温水パイプ側に縮径するものであり、これによって更に固定が確実となるものである（請求項４〜６）。
【００１５】
第２具体例としては、温水パイプ入口及び出口に温水パイプ内に差し込まれる内筒と、内筒の外表面に備えられた止水リングと、内筒を覆って外筒が備えられ、外筒の先端に温水パイプの外表面に食い込む爪を備えたロックリングを配置し、ロックリングの抜けを防止するため外筒に装着したキャップと、よりなる構造である（請求項３、８）。
【００１６】
尚、この例における外筒は、継手と別体の樹脂にて構成されるのもよく、例えばトロガミド樹脂のような透明な樹脂にて構成することも可能であり、この場合には、温水パイプの差し込みが目視できるという特徴がある。
【００１７】
ロックリング及びキャップの関係は前述した通りであり、ここでは説明を省略する。勿論、ロックリングに縦スリットを形成すれば、温水パイプの抜けが防止されることは言うまでもない。尚、図３にて示すような断面Ｖ字形状のロックリングも使用可能である。
【００１８】
温水パイプは内筒と外筒の間隔が差し込まれ、止水リングが温水パイプの内表面に接触して漏水が防止され、ロックリングの爪は温水パイプの外表面に食い付くこととなる。特に、温水パイプの外表面は他の部材に接触しやすくここに傷が付くこともある。従って、外表面に止水リングを接触させても漏水が起こってしまうことも考えられるが、この例では止水リングを傷の付きにくい内側の表面に接触するため、より漏水性は確実となる。上記したように温水パイプは内筒と外筒の間に差し込まれるものであり、両者の間隔は温水パイプの厚さとほぼ同じとするものである（請求項３、８）。
【００１９】
尚、本発明の継手は鋳物、例えば砲金や黄銅によって製造されるものであり、第１具体例であれば、温水パイプの入口及び出口に同時に段部を形成し、ここに止水リング等を内蔵させるものである。
【実施例】
【００２０】
以下、本発明を図面をもって更に詳細に説明する。図１は請求項１及び７にて示すパネルヒ−タ−用のサ−モバルブ一体型ワンプッシュ継手の全体図であり、図２はその主要部の一部切断図である。符号Ｐは本発明のパネルヒ−タ−用のサ−モバルブ一体型ワンプッシュ継手である。
【００２１】
先ず、継手Ｐであるが、床Ｆより１２ｃｍの高さのところに設置され、壁に添って立ち上がる図示しないパネルヒ−タ−に接続されるものである。即ち、パネルヒ−タ−取付口２１、温水入口２２及び出口２３、水抜き口２４、サ−モバルブ２５とからなっている。２６は床スラブＳ上に敷設された温水パイプであり、この温水パイプ２６を、本発明の接続継手Ａを介して温水入口２２（及び温水出口２３）に接続することとなる。そして、ここに具現化（請求項７）された継手Ｐは、温水入口２２と出口２３に温水パイプの接続手段（ワンプッシュ型接続）Ａを内蔵させたものである。
【００２２】
図２に基づき具体的形態を更に述べれば、温水パイプ側の接続手段Ａにあって、継手Ｐの温水入口２２（出口２３側は図示せず）の先端より大径の段部４と小径の段部５を形成し、このうち、小径の段部５は温水パイプ２６の差し込み位置を特定するものである。そして、大径の段部５内に温水パイプ２６の外表面に接触する止水リング６と、その表面に食い込む爪７ａを備えたロックリング７が内蔵され、このロックリング７の先端側の外表面を傾斜面８としたものである。好ましくは、ロックリング７には先端方向より複数のスリット９が形成されている。継手Ｐにはこれらの抜けを防止するためのキャップ１０が装着されており、前記のロックリング７の傾斜面８と接するように内表面を傾斜面１１としたものである。
【００２３】
本発明の継手Ｐの使用法を述べれば、接続手段Ａにあって、続手段Ａより説明する。床Ｆの下側に敷設された温水パイプ２６の先端を床Ｆよりやや引き出し、必要であればこのパイプ２６の先端にカラ−２６ａを嵌め込み、その後にキャップ１０内に差し込む。温水パイプ２６の先端を小径の段部５にまで差し込んで装着が終了する。温水パイプ２６の外表面に止水リング６が接触して漏水の発生が阻止され、かつ、温水パイプ２６の外表面にロックリング７の爪７ａが食い込んで温水パイプ２６の抜けが防止されることとなる。
【００２４】
温水パイプ２６内に温水が流された際、流圧によって温水パイプ２６が抜け出す方向に動くが、ロックリング７が一緒に動き、キャップ１０とロックリング７との両傾斜面８、１１が接触し合って、スリット９の隙間分だけロックリング７を温水パイプ２６側に縮径するものであり、これによって更に固定が確実となるものである。
【００２５】
このように、本発明の継手を用いれば、両側の接続が夫々別々の機構によって行うこととなるので、夫々の接続が確実に行うことができることとなったものである。しかもその接続作業は比較的簡単であり、作業時の熟練度もほとんど必要がない。従来のように、スぺ−スのない極めて狭い範囲での作業と、温水パイプの接続と加締め作業とを一つの作業にて行う必要があったために、二つの接続に十分配慮できない傾向にあったが、本発明の継手を用いることによりこれが解決できたものである。
【００２６】
そして、温水が流された場合、その内部圧力で温水パイプ２６が抜け出そうとする方向に移動しようとすると、ロックリング７がそのまま同じように移動し、ロックリング７の傾斜面８とキャップ１０の傾斜面１１とが接触し、これ以上の移動を阻止する。しかも、ロックリング７には傾斜面８側にスリット９があるため、温水パイプ２６が抜け出そうとする力がこのスリット９を埋めるようにロックリング７の先端が変形（縮径）し、これによって温水パイプ２６の外表面がより強く周囲より押え込まれて更に抜け出さないような力が働くこととなり、止水とともに温水パイプ２６の抜け防止が完全となる。
【００２７】
図３は請求項８にて示す具体的形態を図示したものであり、温水パイプ側の接続手段Ｂにあって、継手Ｐより伸び、温水パイプ２６内に差し込まれる内筒３３と、内筒３３の外表面に形成された周溝３３ａ内に備えられた止水リング３４と、内筒３３を覆って外筒３５が備えられている。そして、外筒３５の先端に温水パイプ２６の外表面に食い込む爪３６ａを備えたロックリング３６を配置し、ロックリング３６の抜けを防止するため外筒３５に装着したキャップ３７と、よりなる継手Ｂである。ロックリング３６には前例と同じ機能をもつスリット（図示せず）が形成されている。又、ロックリング３６の外表面には前例と同じく傾斜面３８とされ、これと対応してキャップ３７の内表面に傾斜面３９を備えている。図にあって、５ｂはパイプ抜け防止部材５のパイプ１０への食い込みを解除するリングであり、外側より内側に向かって押すことによって食い込みが解除されることとなる。尚、外筒３５は継手基体と別体に構成されてもよい。
【００２８】
接続手段Ｂの温水パイプ２６との接続法を述べれば、床の下側に敷設された温水パイプ２６の先端を床よりやや引き出しキャップ３７内に差し込み、温水パイプ２６の内側に内筒３３を差し込んで装着が終了する。温水パイプ２６の内表面に止水リング３４が接触して漏水の発生が阻止され、かつ、温水パイプ２６の外表面にロックリング３６の爪３６ａが食い込んで温水パイプ２６の抜けが防止されることとなる。
【００２９】
温水パイプ２６内に温水が流された際も前例と同様な動きとなり、流圧によって温水パイプ２６が抜け出す方向に動くが、ロックリング３６が一緒に動き、キャップ３７とロックリング３６との両傾斜面３８、３９が接触し合って、ロックリング３６を温水パイプ２６側に縮径するものであり、これによって更に固定が確実となるものである。
【産業上の利用可能性】
【００３０】
本発明は、温水パイプの接続と継手Ｐへの接続を極めて簡単な構造として一体に設け、温水パイプの接続の作業性の向上と接続の信頼性を高めることを可能としたもので、作業上の熟練度もさほど要さず、その利用価値は極めて高いものである。
【図面の簡単な説明】
【００３１】
【図１】図１は本発明（請求項１）の継手Ｐの全体図である。
【図２】図２は請求項７に記載した継手Ｐの主要部の一部切断図である。
【図３】図３は請求項８に記載した継手Ｐの主要部の一部切断図である。
【符号の説明】
【００３２】
Ａ、Ｂ‥温水パイプの接続手段（ワンプッシュ型接続手段）、
Ｆ‥床、
Ｐ‥本発明のパネルヒ−タ−用のサ−モバルブ一体型ワンプッシュ継手、
Ｓ‥床スラブ、
４、５‥段部、
６‥止水リング、
７‥ロックリング、
７ａ‥爪、
８‥ロックリングの傾斜面、
９‥スリット、
１０‥キャップ、
１１‥キャップの傾斜面、
２１‥パネルヒ−タ−取付口、
２２‥温水入口、
２３‥温水出口、
２４‥水抜き口、
２５‥サ−モバルブ、
２６‥温水パイプ、
２６ａ‥カラ−、
３３‥内筒、
３３ａ‥周溝、
３４‥止水リング、
３５‥外筒、
３６‥ロックリング、
３６ａ‥爪、
３７‥キャップ、
３８‥ロックリングの傾斜面、
３９‥キャップの傾斜面。
【図１】
2008045720.tif 000003
【図２】
2008045720.tif 000004
【図３】
2008045720.tif 000005